(57)【要約】【課題】光源から照射される光の出光パターンを自由にコントロールすることで照射範囲を制御して照射光の有効活用を図ることができ、且つ光透過性パネルの交換のみで照射範囲を簡便に変更できる利便性を兼ね備えた照明器具の提供。【解決手段】ＬＥＤ光源を有する照明器具の照射側に、特定の凹凸形状を有する光透過性パネルを光源に対向するように配置する。【選択図】なし【特許請求の範囲】
【請求項１】
ＬＥＤ光源を有する照明器具であって、該照明器具の照射側に、少なくとも片面に特定の凹凸形状を有する光透過性パネルが光源に対向するように配置されており、該光透過性パネルの凹凸形状は平均波長（λａ）が最大を示す方向での平均波長（λａ）Ｘと、最小を示す方向での平均波長（λａ）Ｙの比Ｘ／Ｙが１．５〜１００であることを特徴とする照明器具。
【請求項２】
前記光透過性パネルは、凹凸形状面の最小を示す方向での平均波長（λａ）Ｙが１〜１００μｍであることを特徴とする請求項１に記載の照明器具。
【請求項３】
前記光透過性パネルは、凹凸形状面に垂直に光線を入射した場合の透過拡散光の拡散角度が最大を示す方向での拡散角度Ａと、最小を示す方向での拡散角度Ｂの拡散角度比Ａ／Ｂが１．５〜４７５であることを特徴とする請求項１または２に記載の照明器具。
【請求項４】
請求項１〜３の何れかに記載のＬＥＤ光源を有する照明器具の使用方法であって、前記ＬＥＤ光源を有する照明器具を構成する光透過性パネルは着脱可能であって、該光透過性パネルを交換することで照射範囲を変更することを特徴とするＬＥＤ光源を有する照明器具の使用方法。
【発明の詳細な説明】
【技術分野】
【０００１】
本発明は、ＬＥＤ光源を有する照明器具に関するものである。
【背景技術】
【０００２】
近年、地球温暖化防止の観点から温室効果ガスである二酸化炭素の排出量削減が求められており、それに伴って省電力化に有効なＬＥＤ光源や蛍光灯光源を有する照明器具が増えてきている。部分照明として使われることの多いダウンライトやスポットライトなどの照明器具は光源として白熱電球やミニクリプトン球が使われるケースが多いが、これらの光源は発光効率が低く、より高効率で省電力化が図れるＬＥＤ光源や蛍光灯光源への移行が進んでいる。中でも長寿命で廃棄物の削減が可能であるとともに、有害物質を含まず環境保全に貢献できるＬＥＤ光源は発光効率の向上が著しく、ＬＥＤ光源を使用した照明器具は急速に普及が進んでいる。
【０００３】
通常、ダウンライトやスポットライトなどは、光源から照射された光を有効活用するため反射板の形状でビーム角を制御しており、使用目的に応じた所望の配光特性が得られるように設計された専用の反射板が配設されている。このため照明器具メーカーでは多くの種類のダウンライトやスポットライトなどを用意している。
特開２０００−１９３８０９号公報（特許文献１）には、光源からの光を効率良く特定方向に向けるための配光制御パネルが配設されたダウンライトが示されている。しかしながら、光源から照射される光の進行方向を制御することが目的であるため、例えば廊下などの通路で使用した場合、廊下面の長手方向に選択的に均一に照射分布を広げることは難しい。
【０００４】
特開昭６２−２１７５０１号公報（特許文献２）には、シート上に微細加工を施したものが示されているが、光源からの光が２方向に分割されてしまい、照度分布に大きな斑が生じてしまう問題がある。
特開２０００−３０６４０３（特許文献３）には、光源自体に特徴をもたせたものとして配光指向角が縦方向よりも横方向が大きく設定されたいわゆる楕円配光特性のＬＥＤを実装し、廊下面の長手方向へ効果的に照射できる足元灯が示されている。しかしながら、配光分布の制御は光源、即ちＬＥＤの固定化された楕円配光特性を配置によって上手く利用したり、複数本実装されたＬＥＤの配置によるものであり、ＬＥＤから照射された光自体を制御するものではない。このため、例えば看板等を照明対象とした場合、看板等のサイズ変更によりＬＥＤの実装方法から変更する必要が生じ、利便性に欠けるものであった。
【０００５】
また、従来からレンチキュラーレンズを使うことによって照射光を長手方向に広げられることは知られているが、レンチキュラーレンズの場合、レンズ作製時の転写性および金型の凹凸形状の機械的強度の観点から、拡散角度の大きなレンズを作ることは技術上難しい。
また、長手方向のみの光拡散制御となり、照射範囲を自由に制御できるものではない。
以上、本発明に関する従来の技術について説明してきたが、これまで、光源から照射される光の出光パターンを光透過性パネルによって簡便に変更でき、且つ自由に制御して照射光の有効活用を図ることができる照明器具の提供ができていないのである。
【特許文献１】特開２０００−１９３８０９号公報
【特許文献２】特開昭６２−２１７５０１号公報
【特許文献３】特開２０００−３０６４０３号公報
【発明の開示】
【発明が解決しようとする課題】
【０００６】
即ち、本発明の目的は、上記の問題点を解決し、光源から照射される光の出光パターンを光透過性パネルによって自由にコントロールすることで照射範囲を制御して照射光の有効活用を図ることができ、且つ光透過性パネルの交換のみで照射範囲を簡便に変更できる利便性を兼ね備えた照明器具を提供することである。
【課題を解決するための手段】
【０００７】
本発明者らは、前記課題を解決するために鋭意検討を重ねた結果、ＬＥＤ光源を有する照明器具の照射側に、特定の凹凸形状を有する光透過性パネルを光源に対向するように配置することにより上記の目的を達成し得ることを見出し、この知見に基づいて本発明を完成させるに至った。
即ち、本発明は、
（１）ＬＥＤ光源を有する照明器具であって、該照明器具の照射側に、少なくとも片面に特定の凹凸形状を有する光透過性パネルが少なくとも光源に対向するように配置されており、該光透過性パネルの凹凸形状は平均波長（λａ）が最大を示す方向での平均波長（λａ）Ｘと、最小を示す方向での平均波長（λａ）Ｙの比Ｘ／Ｙが１．５〜１００であることを特徴とする照明器具。
（２）前記光透過性パネルは、凹凸形状面の平均波長（λａ）Ｙが１〜１００μｍであることを特徴とする（１）に記載の照明器具。
（３）前記光透過性パネルは、凹凸形状面に垂直に光線を入射した場合の透過拡散光の拡散角度が最大を示す方向での拡散角度Ａと、最小を示す方向での拡散角度Ｂの拡散角度比Ａ／Ｂが１．５〜４７５であることを特徴とする（１）または（２）に記載の照明器具。
（４）(１)〜(３)の何れかに記載のＬＥＤ光源を有する照明器具の使用方法であって、前記ＬＥＤ光源を有する照明器具を構成する光透過性パネルは着脱可能であって、該光透過性パネルを交換することで照射範囲を変更することを特徴とするＬＥＤ光源を有する照明器具の使用方法に関する。
【発明の効果】
【０００８】
本発明によれば、光源から照射される光の出光パターンをコントロールすることができるので、照射範囲をＸ方向、Ｙ方向で自由に制御し、照射光の有効活用を図ることができるＬＥＤ光源を有する照明器具を提供することができる。更に、通常は一度設置された照明器具の照射範囲を変えるためには照明器具本体を交換し再度付け直す必要があったが、本発明によれば、光透過性パネルの交換のみで照射範囲を簡便に変更できる利便性を兼ね備えた照明器具を提供することができる。
【発明を実施するための最良の形態】
【０００９】
本発明について、以下に具体的に説明する。
本発明の照明器具は、ＬＥＤ光源を有する照明器具の照射側に、特定の凹凸形状を有する光透過性パネルを組み合わせることで機能を発現する。光源としては蛍光灯や白熱電球、ミニクリプトン球でも構わないが、より指向性が強く輝度の高いＬＥＤ光源と組み合わせることによって配光特性を制御しやすくなり、好適である。
本発明に用いることができるＬＥＤ光源を有する照明器具としては、例えばダウライトやスポットライト、シーリングライト、ライトアップ照明器具、ライン照明器具などが挙げられる。
【００１０】
例えばダウンライトの場合、１／２ビーム角が９°〜１０５°程度のものを用いることができる。ここでいう１／２ビーム角（以下ビーム角）とは、照明器具から照射される光の最大光度と、その軸光度の１／２の光度とのなす角度の２倍の角度をいう。通常ダウンライトのビーム角は、居室などの全般照明用途の場合は８０°以上の広角タイプ、廊下や壁面照射などの部分照明用途の場合は８０°以下の中角タイプや更にビーム角の小さい狭角タイプが用いられることが多く、広角タイプダウンライトとしては、東芝ライテック株式会社製ＬＥＤＤ−６６００１Ｗ−ＬＳ１（ビーム角９５°）、ＬＥＤＤ−４４００１Ｗ−ＬＳ１（ビーム角９０°）、松下電工株式会社製ＮＮＮ２１９１２（ビーム角８０°）、ＮＮＮ２１９０２（ビーム角８０°）などが挙げられる。中角タイプダウンライトとしては、東芝ライテック株式会社製ＬＥＤＤ−６６００３Ｗ−ＬＳ１（ビーム角４５°）、ＬＥＤＤ−４４００３Ｗ−ＬＳ１（ビーム角５０°）、松下電工株式会社製ＮＮＮ２１９１０（ビーム角４０°）、ＮＮＮ２１９００（ビーム角３５°）などが挙げられる。狭角タイプダウンライトとしては、松下電工株式会社製ＮＮＮ２１６３７（ビーム角１５°）、ＮＮＮ２１６３８（ビーム角１５°）などが挙げられる。
【００１１】
スポットライトとしては、東芝ライテック株式会社製ＬＥＤＳ８００００Ｗ−ＬＳ、ＬＥＤＳ−８０００２Ｌ−ＬＳなどが挙げられる。シーリングライトとしては、東芝ライテック株式会社製ＬＥＤＨ８００２Ｗ−ＬＳ、ＬＥＤＨ８００２Ｌ−ＬＳ、ＬＥＤＳ−３１９０１ＷＳ−ＬＳ１などが挙げられる。橋や建物壁面のライトアップ、看板照明などに使用されるＬＥＤライトアップ照明器具としては、松下電工株式会社製ＮＮＹ２４２５０、ＮＮＹ２４２５１などが挙げられる。ライン照明器具としては、東芝ライテック株式会社製ＬＥＤＬ−０３２０１Ｗ−ＬＳ１、ＬＥＴ−０１００１Ｎ−ＹＷ１などが挙げられる。
【００１２】
これらの照明器具はそれぞれ配光特性が決まっており、使用場所に応じた所望の配光特性の照明器具を選択することになるが、例えばダウンライトの場合、照射角度は基本的に等方性であるため、廊下などの通路に使用した場合、広角タイプでは壁面が照らされる割合が増えてしまい、照射光の有効活用という観点から好ましくない。また、中角タイプや狭角タイプでは照明器具直下の床面の照度は高くなるが照射範囲がスポット的に狭くなるため、照明器具を設置する間隔が近くなったり、照度分布に斑が生じてしまう問題がある。
本発明の光透過性パネルを配置したダウンライトを廊下などの通路に使用すれば、長手方向に選択的に光を配光することができるため、照射光を有効に活用することができる。      
【００１３】
更に、照明器具の設置間隔を広くすることができ、器具灯数を削減できることから、省電力化の観点からも好ましいものとなる。
また、本発明の光透過性パネルを配置したライトアップ照明を使用することで所望の範囲を高効率に照明することができるため、照射光の有効活用を図ることができる。更に、通常は照明する看板の形や大きさが変わった場合、照明器具本体の交換が必要であったが、本発明の照明器具によれば光透過性パネルの交換のみで容易に照射範囲を変更することができるという利便性を兼ね備えたものとなる。
【００１４】
次に、本発明に用いる特定のランダムな凹凸形状を有する光透過性パネルについて説明する。
本発明に用いられる光透過性パネルの凹凸形状は、平均波長（λａ）が最大を示す方向での平均波長（λａ）Ｘと、最小を示す方向での平均波長（λａ）Ｙの比Ｘ／Ｙが１．５〜１００であることが好ましく、より好ましくは１．５〜５０、更に好ましくは１．５〜３０である。平均波長（λａ）比Ｘ／Ｙが１．５より小さいと等方拡散に近くなり、例えば廊下などの通路に使用した場合に照射光を長手方向に広げる効果が小さく、照射光を有効に活用することができなくなる。平均波長（λａ）比Ｘ／Ｙを１．５以上とすることで、照射光を長手方向に選択的に広げることができ、照射光の有効活用を図ることができるものである。また、平均波長（λａ）比Ｘ／Ｙを１００より大きくしても、実質上、照度角の広がりに大差はなく、大きくする必要性がない。
【００１５】
また、最小を示す平均波長（λａ）Ｙは１〜１００μｍ以下であることが好ましく、より好ましくは１〜７０μｍ以下、更に好ましくは１〜５０μｍ以下である。人間の目の分解能は視野角で５０秒程度であり、通常、照明器具は人間の目の位置から１ｍ以上離れていることから、平均波長（λａ）Ｙを１００μｍ以下とすることで凹凸形状の付与がわかりにくいものとなり、乳白色のフロスト加工板のような和らぎ感のある光を得ることができる。平均波長（λａ）Ｙが１μｍより小さくなると、出光パターンを安定に制御できなくなる。
ここでいう平均波長（λａ）とは、株式会社小坂研究所製高精度微細形状測定器サーフコーダＥＴ４０００を用い、以下の式に従って算出した値である。
λａ＝２π（Ｒａ／Δａ）
【００１６】
上記式中、Ｒａとは、算術平均粗さのことで、株式会社小坂研究所製高精度微細形状測定器サーフコーダＥＴ４０００を用いＪＩＳ  Ｂ０６０１に準拠して測定した。
又、Δａとは、平均傾斜勾配のことで、株式会社小坂研究所製高精度微細形状測定器サーフコーダＥＴ４０００を用いＡＳＭＥ  Ｂ４６．１：１９９５に準拠して測定した。
なお、平均波長（λａ）Ｘおよび平均波長（λａ）Ｙは、株式会社小坂研究所製高精度微細形状測定器サーフコーダＥＴ４０００を用いて三次元測定を行うことで、平均波長（λａ）が最大を示す方向および最小を示す方向を確認することができる。測定はそれぞれの方向において任意の２０ヶ所を行い、その平均値を平均波長（λａ）Ｘおよび平均波長（λａ）Ｙとした。
【００１７】
本発明に用いられる光透過性パネルは異方拡散性を有することが好ましい。異方拡散性とは、光透過性パネルの凹凸形状面に垂直に平行光線を入射した場合の透過光が楕円形状になることを言う。具体的には、凹凸形状面に垂直に平行光線を入射した場合の透過拡散光の拡散角度が最大を示す方向での拡散角度Ａと、最小を示す方向での拡散角度Ｂの拡散角度比Ａ／Ｂが１．５〜４７５の範囲であり、好ましくは１．５〜２００の範囲である。
拡散角度比Ａ／Ｂが１．５より小さいと等方拡散に近くなり、例えばダウンライトを廊下などの通路に使用した場合に照射光を長手方向に広げる効果が小さく、照射光を有効に活用することができなくなる。拡散角度比Ａ／Ｂを１．５以上とすることで、照射光を長手方向に選択的に広げることができ、照射光の有効活用を図ることができる。また、拡散角度比Ａ／Ｂを４７５より大きくしても、照度角の広がりに大差はなく、これ以上大きくする必要性がない。拡散角度比Ａ／Ｂは、前述の平均波長（λａ）比Ｘ／Ｙをコントロールすることによって決定される。なお、拡散角度Ａとしては１５°〜９５°、拡散角度Ｂとしては０．２°〜６０°の範囲で任意に設定することができる。
【００１８】
本発明に用いられる光透過性パネルに特定の凹凸形状を賦形する方法としては、凹凸形状を有する金型を用いた射出成型法、凹凸形状を有する転写ロール（マスタ型）とベースフィルムとＵＶ硬化性樹脂などを用いてロールｔｏロールにより連続でフィルム上に凹凸を形成する転写法などが挙げられる。
特定の凹凸形状を有する金型や転写ロールを製作する方法として、干渉露光による方法が好ましい。干渉露光による凹凸形成とは、ディフューザーに光を当てた面の各点で拡散されたコヒーレント光が不規則な位相関係で干渉しあうことによって生じる不規則な輝度斑（スペックル）を感光材に露光、現像することによって凹凸を形成させる方法である。
【００１９】
干渉露光によって得られる凹凸形状は微細な３次元構造を持っており、スペックルパターンを制御することで本発明に求められる特定の凹凸形状を形成することができる。なお、この微細な３次元構造は、複数の凹凸構造で構成されている。前記凹凸形状の高さ及びピッチは不規則であり、擬似ランダム形状である。
【００２０】
具体的には、次のようにして形成することができる。まず、予め干渉露光によりスペックルパターンを形成したサブマスタ型を作製し、このサブマスタ型に電鋳などの方法で金属を被着してこの金属にスペックルパターンを転写してマスタ型を作製する。光透過性樹脂層に、上記マスタ型を用いて紫外線による賦形を行って光透過性樹脂層の表面にスペックルパターンを転写する。このサブマスタ型の詳細な製造方法については、特許第３４１３５１９号公報に開示されている。この内容はすべてここに含めておく。
【００２１】
スペックルパターンの寸法、形状及び方向を調節することにより、平均波長（λａ）Ｘおよび平均波長（λａ）Ｙを制御することができる。一般に、平均波長（λａ）はスペックルの平均サイズ及び形状に依存する。スペックルが小さければ平均波長（λａ）が小さくなる。また、スペックルが長円形であれば、平均波長（λａ）比Ｘ／Ｙは大きくなる。
このように所望する指向角度や拡散角度に応じてスペックルパターンを決定することができる。このスペックルパターンの詳細な製法については、特許第３３９０９５４号公報に開示されている。この内容はすべてここに含めておく。拡散角度は凹凸構造のピッチ、高さ、アスペクト比を変えて制御しても構わないし、紫外線硬化される光透過性樹脂層の屈折率を変えて制御しても構わない。
【００２２】
なお、拡散角度とは、凹凸形状面にレーザーなどの平行光を入射した場合、ピーク輝度の半分に減衰する角（半値角）の２倍の角度（ＦＷＨＭ：Full Width Half Maximum）をいう。この拡散角度は、例えば日本電色工業株式会社製の変角色差計で法線角度が０°より入射した光の出光分布を測定することによって求めることができる。
本発明に用いられる光透過性パネルは、特定の凹凸形状面から入射したときのＪＩＳ  Ｋ７３６１−１に定める全光線透過率が８０％以上であることが好ましい。光透過性パネルの全光線透過率を８０％以上とすることで、ＬＥＤ光源から照射された光を有効に活用でき、省電力化の観点から好ましいものとなる。光透過性パネルの厚みは、取扱性、コストの観点から０．１ｍｍ〜５ｍｍであることが好ましい。
【００２３】
本発明に用いられる光透過性パネルは、特定の凹凸形状を有するフィルムを作製後、ポリメチルメタクリレートやポリカーボネート、ガラスなどの光透過性材料からなる支持体に粘着材や熱転写などによって貼り合わせても構わない。支持体としては、ポリエチレンテレフタレート、ポリカーボネート、ポリメチルメタクリレート、ガラスなど、ＪＩＳ  Ｋ７３６１−１に定める全光線透過率が８０％以上の透光性材料であれば構わない。
本発明に用いられる光透過性パネルは、特定の凹凸形状が表裏両面に形成されていても構わない。
また、本発明に用いられる光透過性パネルは、ＪＩＳ  Ｋ７１３６に定めるヘイズ値が３０％以上であることが好ましく、より好ましくは５０％以上、更に好ましくは８０％以上である。ＬＥＤ光源は指向性が強く輝度が高いため、ＬＥＤ光源を直視した場合、ヘイズ値が３０％未満では強い眩しさを感じ不快である。ヘイズ値を３０％以上とすることで眩しさ感を低減でき、目に優しい照明とすることができる。
本発明に用いられる光透過性パネルは、特定の凹凸形状を有する面を光源側に設置することが好ましい。
【００２４】
本発明に用いられる光透過性パネルは、特定の凹凸形状を有する面の反対面に変角用プリズム形状を有することも好ましい。変角用プリズム形状を有することで照射された光の進行方向を変えることができ、所望の照射方向を有効に照らすことができる。例えば、天井に取り付けたダウンライトで壁面の絵画を照らしたりすることに有効である。また、階段のような傾斜天井に取り付けた場合、照明器具の真下方向を照らすことができるため、階段を下りる際に光源が直接目に入ることによる眩しさを低減できるものである。
本発明に用いられる光透過性パネルは、表面に反射防止膜をコーティングすることも好ましい。反射防止膜をコーティングすることによって全光線透過率を向上させることができるため、照射光の更なる有効活用に繋がるものである。
【００２５】
本発明の照明器具によれば、照射光の拡散角度を自由にコントロールすることで照射範囲を制御し、照射光の有効活用を図ることができる
従来から知られているレンチキュラーレンズによる照射光制御では長手方向のみの出光パターン制御となり、本発明のように出光パターンを両方向に自由に制御できるものではない。また、シリンドリカルレンズの曲率およびピッチの関係から、本発明の照明器具のような大きな拡散角度や乳白色のフロスト加工板のような和らぎ感のある光を得ることは難しく、ギラツキ感が残った照明となってしまう。即ち、本発明の照明器具のような照射光の有効活用、和らぎ感のある光といった機能を兼ね備えた照明器具の提供は困難である。
【実施例】
【００２６】
次に、本発明の効果を明確にするために行った実施例について説明するが、本発明はこれらに限定されるものではない。
［ダウンライト］
東芝ライテック株式会社製ＬＥＤダウンライト（ＬＥＤＤ−６６００３Ｗ−ＬＳ１）を用いた。
［光透過性パネル］
スペックルパターンを制御して各種平均波長（λａ）Ｘおよび平均波長（λａ）Ｙを有するマスタ型を作製した。次いで、ポリエチレンテレフタレート基材（厚み１８８μｍ）とＵＶ硬化性樹脂を用いた転写法にて特定の凹凸形状を有する光透過性パネルを作製した。
作製したパネルの凹凸形状を有する面から、平行光線を入射させ、変角色差計（日本電色工業株式会社製）で拡散角度Ａ、Ｂを測定した。これらの結果を表１に要約した。光透過性パネルのサンプル名称は表１に準じて表現した。
【００２７】
［各種測定方法］
（１）１／２照度角の測定
照度計（日置電機株式会社製、ルクスハイテスタ３４２３、ＪＩＳ  C１６０９−１９９３一般形ＡＡ級に準拠）を用いて、照明器具と器具直下を結んだ線と、器具と器具直下照度の１／２となる水平面照度となる点を結んだ線がなす角度の２倍の角度。具体的には照明器具直下１００ｃｍの照度を測定し、器具直下照度の１／２となる水平面照度となる点を求める。なお、１／２照度角の測定は、照度角が最大を示す方向（幅方向）と、それとほぼ直交する方向（奥行方向）の照度角をそれぞれ測定した。
（２）照度分布の測定
照度計（日置電機株式会社製、ルクスハイテスタ３４２３、ＪＩＳ  C１６０９−１９９３一般形ＡＡ級に準拠）を用いて、照明器具下２００ｃｍでの水平面照度を測定する。測定間隔は幅方向と奥行方向それぞれ５０ｃｍ間隔とした。
【００２８】
［実施例１］
東芝ライテック株式会社製ＬＥＤダウンライト（ＬＥＤＤ−６６００３Ｗ−ＬＳ１）の下面カバー（フロスト加工アクリル板）を光透過性パネル（表１のパネルａ）に交換し、高さ２３０ｍｍの天井に、光透過性パネルの拡散角度が幅方向が最大となるように取り付けた。なお、光透過性パネルの配置方向は、凹凸形状面をＬＥＤ光源側とした。その後、幅方向および奥行方向の１／２照度角の測定および照度分布の測定を行った。１／２照度角の結果を表２、照度分布の結果を図１に示した。幅方向の１／２照度角は５９°、奥行方向の１／２照度角は３２°で、幅方向へ選択的に照射光を広げることができた。これを幅９０ｃｍの廊下へ用いたところ、照明範囲が長手方向へ広がり、床面の照度斑も少なく、有効性が確認できた。なお、ヘイズ値は８９％だった。
【００２９】
［実施例２］
下面カバー（フロスト加工アクリル板）を光透過性パネル（表１のパネルｂ）に変更した以外は実施例１と同様とした。１／２照度角の結果を表２、照度分布の結果を図２に示した。幅方向の１／２照度角は６４°、奥行方向の１／２照度角は３３°で、幅方向へ選択的に照射光を広げることができた。
【００３０】
［実施例３］
下面カバー（フロスト加工アクリル板）を光透過性パネル（表１のパネルｃ）に変更した以外は実施例１と同様とした。１／２照度角の結果を表２、照度分布の結果を図３に示した。幅方向の１／２照度角は６５°、奥行方向の１／２照度角は４２°で、幅方向および奥行方向へそれぞれ選択的に照射光を広げることができた。
【００３１】
［比較例１］
東芝ライテック株式会社製ＬＥＤダウンライト（ＬＥＤＤ−６６０３Ｗ−ＬＳ１、フロスト加工ＰＭＭＡ板）を用いて１／２照度角および照度分布の測定を行った。１／２照度角の結果を表２、照度分布の結果を図４に示した。幅方向および奥行方向とも１／２照度角は３５°であり、幅方向へ照射光を広げる効果は無かった。これを幅９０ｃｍの廊下へ用いたところ、ダウンライト直下の狭い範囲のみ照度が高く、床面の照度斑が大きかった。
【００３２】
［比較例２］
下面カバー（フロスト加工アクリル板）を日本特殊光学樹脂株式会社製レンチキュラーレンズ（ＬＬ０．７）に変更した以外は実施例１と同様とした。１／２照度角の結果を表２、照度分布の結果を図５に示した。幅方向の１／２照度角は４７°、奥行方向の１／２照度角は３２°で、幅方向へ選択的に照射光を広げる効果が小さかった。これを幅９０ｃｍの廊下へ用いたところ、床面の照度斑が比較的大きかった。
【００３３】
［比較例３］
下面カバー（フロスト加工アクリル板）を松下電工株式会社製スプレッドレンズ（ＹＫ４０４１５）に変更した以外は実施例１と同様とした。１／２照度角の結果を表２、照度分布の結果を図６に示した。幅方向の１／２照度角は４６°、奥行方向の１／２照度角は３１°で、幅方向へ選択的に照射光を広げる効果が小さかった。これを幅９０ｃｍの廊下へ用いたところ、床面の照度斑が比較的大きかった。また、光源のギラツキ感が残り、眩しく不快であった。
【００３４】
【表１】
2010135146.tif 000002
【００３５】
【表２】
2010135146.tif 000003
【産業上の利用可能性】
【００３６】
本発明の照明器具は、照射範囲を自由に制御できる特徴を有していることから、照射光の有効活用および省電力化が求められる照明分野への利用が可能となる。
【図面の簡単な説明】
【００３７】
【図１】実施例１の照度分布図である。
【図２】実施例２の照度分布図である。
【図３】実施例３の照度分布図である。
【図４】比較例１の照度分布図である。
【図５】比較例２の照度分布図である。
【図６】比較例３の照度分布図である。
【図７】本発明の実施の形態に関わるダウンライトの概略図である。
【符号の説明】
【００３８】
１：本発明の光透過性パネル
２：ＬＥＤ光源
【図７】
2010135146.tif 000004
【図１】
2010135146.tif 000005
【図２】
2010135146.tif 000006
【図３】
2010135146.tif 000007
【図４】
2010135146.tif 000008
【図５】
2010135146.tif 000009
【図６】
2010135146.tif 000010